(57)【特許請求の範囲】
【請求項１】
ベース１０と、このベース１０の長手方向に間隔を置いて多数設けた係止部１５と、前記ベース１０の長手方向に移動自在な落し棒２０と、前記ベース１０に沿って長手方向に移動し前記落し棒２０を移動する操作部材３０を備え、
前記操作部材３０は、落し棒２０とともに移動する操作摘み３１とロック部材３２及び操作摘み３１に対して落し棒２０と同一方向に移動するロック解除部材３３を有し、
前記ロック部材３２は、前記係止部１５に係合するロック位置と係止部１５と離れるロック解除位置とに亘って弾性変位する係止片３７を有し、
前記操作摘み３１とロック解除部材３３は指でつまんでロック解除部材３３を操作摘み３１に向けて移動可能で、かつ移動することで前記係止片３７がロック解除位置となり、かつ指を離すことで前記係止片３７がロック位置となるようにしたことを特徴とする落し錠。
【請求項２】
前記係止片３７は常時ロック解除位置で、かつロック位置に弾性変形する形状で、
前記ロック解除部材３３はロック解除突片４０を有し、かつ操作摘み３１と離れた位置に移動することでロック解除突片４０が係止片３７をロック位置に弾性変位する形状で、
前記ロック解除部材３３を弾性部材で操作摘み３１と離れた位置に移動保持した請求項１記載の落し錠。
【請求項３】
前記係止片３７は常時ロック位置で、かつロック解除位置に弾性変形すると共に、カム片４２を有する形状で、
前記ロック解除部材３３は前記カム片４２と接するロック解除突片４３を有し、
前記カム片４２とロック解除突片４３は、ロック解除部材３３が操作摘み３１に接近した位置に移動することで係止片３７がロック解除位置に弾性変位すると共に、その係止片３７の弾性復元力でロック解除部材３３を操作摘み３１と離れた位置に移動する形状である請求項１記載の落し錠。
【請求項４】
ベース１０と、このベース１０の長手方向に間隔を置いて多数設けた係止部１５と、前記ベース１０の長手方向に移動自在な落し棒２０と、前記ベース１０に沿って長手方向に移動し前記落し棒２０を移動する操作部材３０を備え、
前記操作部材３０は、落し棒２０とともに移動する操作摘み３１とロック部材３２及び操作摘み３１に対して落し棒２０と同一方向に移動するロック解除部材３３を有し、
前記ロック部材３２は、前記係止部１５に係合するロック位置と係止部１５と離れるロック解除位置とに亘って弾性変位する係止片３７を有し、その係止片３７は常時ロック位置で、かつ落し棒２０の移動方向の力が作用することでロック解除位置に弾性変位する形状で、
前記操作摘み３１とロック解除部材３３は指でつまんでロック解除部材３３を操作摘み３１に向けて移動可能で、
前記ロック解除部材３３はロック解除突片４０を有し、かつ操作摘み３１と離れた位置に移動することでロック解除突片４０が係止片３７のロック解除位置への弾性変形を阻止する形状で、
前記ロック解除部材３３を弾性部材で操作摘み３１と離れた位置に移動保持したことを特徴とする落し錠。
【請求項５】
ベース１０と、このベース１０の長手方向に間隔を置いて多数設けた係止部１５と、前記ベース１０の長手方向に移動自在な落し棒２０と、前記ベース１０に沿って長手方向に移動して前記落し棒２０を移動する操作部材３０を備え、
前記操作部材３０は、落し棒２０とともに移動するロック部材３２及びロック部材３２に対して落し棒２０と同一方向に所定ストローク移動する操作摘み３１とロック解除部材３３を有し、
前記ロック部材３２は、前記係止部１５に係合するロック位置と係止部１５と離れるロック解除位置とに亘って弾性変位する係止片３７を有し、
前記操作摘み３１とともにロック解除部材３３が移動し、そのロック解除部材３３がロック部材３２に対して移動することで前記係止片３７がロック解除位置となり、操作摘み３１から指を離すことで前記係止片３７がロック位置となるようにしたことを特徴とする落し錠。
【請求項６】
前記係止片３７は常時ロック解除位置で、かつロック位置に弾性変形する形状で、
前記ロック解除部材３３はロック解除突片４７を有し、かつロック部材３２の上下中間位置に移動することでロック解除突片４７が係止片３７をロック位置に弾性変位すると共に、ロック部材３２に対して上方、下方に所定ストローク移動した後はロック部材３２とともに移動する形状で、
前記ロック解除部材３３を上下一対の弾性部材でロック部材３２の上下中間位置に移動保持した請求項５記載の落し錠。
【請求項７】
前記係止片３７は常時ロック位置で、かつロック解除位置に弾性変形すると共に、上下のカム片４２を有する形状で、
前記ロック解除部材３３は前記上下のカム片４２とそれぞれ接する上下のロック解除突片４３を有し、
前記カム片４２とロック解除突片４３は、ロック解除部材３３がロック部材３２に対して上方、下方に所定ストローク移動することで係止片３７がロック解除位置に弾性変位すると共に、その後はロック部材３２とともに移動し、その係止片３７の弾性復元力でロック解除部材３３をロック部材３２の上下中間位置に移動する形状である請求項５記載の落し錠。
【発明の詳細な説明】
【０００１】
【発明の属する技術分野】
本発明は、門扉・障子・ドア等に用いる落し錠に関する。
【０００２】
【従来の技術】
特開平１０−２０５１９４号公報に開示された落し錠が知られている。
この落し錠は図１９に示すように、取付ベース１と、この取付ベース１に対して上下移動する落し棒２と、この落し棒２を任意の位置で上下移動しないようにロックするロック機構３を備え、落し棒２を下方に移動して施錠状態とすると共に、落し棒２を上方に移動して解錠状態とする。
【０００３】
前記ロック機構３は、落し棒２に連結したスライダ４と、このスライダ４に設けたストッパ５、摘み６を備え、前記ストッパ５は取付ベース１に設けた鋸刃状の固定面７に係脱自在である。
摘み６が図１９に示す状態の時にはストッパ５が固定面７に係止して落し棒２を上下移動しないようにロックし、摘み６を矢印ａ方向に移動するとストッパ５が固定面７から離脱してロック解除し、落し棒２が上下に移動できるようにする。
【０００４】
【発明が解決しようとする課題】
前述の落し錠は摘み６を矢印ａ方向に揺動することでロック解除し、摘み６を矢印ｂ方向に移動することで落し棒２を上下移動する。
このために、摘み６のロック解除操作方向（矢印ａ）と摘み６のロック棒上下移動操作方向（矢印ｂ）が異なり、操作性が悪い。
例えば、ロック状態から落し棒２を上下移動する場合に摘み６を矢印ａ方向に操作してロック解除し、その後に摘み６を矢印ｂ方向に操作するので、操作性が悪い。
【０００５】
また、前述の落し錠はストッパ５が複雑形状であると共に、摘み６でストッパ５をロック解除動作する機構が複雑であり、落し錠全体が複雑な構造であるので誤動作や破損し易いと共に、部品点数が多くコストが高い。
【０００６】
そこで、本発明は前述の課題を解決できるようにした落し錠を提供することを目的とする。
【０００７】
【課題を解決するための手段】
第１の発明は、ベース１０と、このベース１０の長手方向に間隔を置いて多数設けた係止部１５と、前記ベース１０の長手方向に移動自在な落し棒２０と、前記ベース１０に沿って長手方向に移動して前記落し棒２０を移動する操作部材３０を備え、
前記操作部材３０は、落し棒２０とともに移動する操作摘み３１とロック部材３２及び操作摘み３１に対して落し棒２０と同一方向に移動するロック解除部材３３を有し、
前記ロック部材３２は、前記係止部１５に係合するロック位置と係止部１５と離れるロック解除位置とに亘って弾性変位する係止片３７を有し、
前記操作摘み３１とロック解除部材３３は指でつまんでロック解除部材３３を操作摘み３１に向けて移動可能で、かつ移動することで前記係止片３７がロック解除位置となり、かつ指を離すことで前記係止片３７がロック位置となるようにしたことを特徴とする落し錠である。
【０００８】
第２の発明は、第１の発明において前記係止片３７は常時ロック解除位置で、かつロック位置に弾性変形する形状で、
前記ロック解除部材３３はロック解除突片４０を有し、かつ操作摘み３１と離れた位置に移動することでロック解除突片４０が係止片３７をロック位置に弾性変位する形状で、
前記ロック解除部材３３を弾性部材で操作摘み３１と離れた位置に移動保持した落し錠である。
【０００９】
第３の発明は、第１の発明において前記係止片３７は常時ロック位置で、かつロック解除位置に弾性変形すると共に、カム片４２を有する形状で、
前記ロック解除部材３３は前記カム片４２と接するロック解除突片４３を有し、
前記カム片４２とロック解除突起４３は、ロック解除部材３３が操作摘み３１に接近した位置に移動することで係止片３７がロック解除位置に弾性変位すると共に、その係止片３７の弾性復元力でロック解除部材３３を操作摘み３１と離れた位置に移動する形状である落し錠である。
【００１０】
第４の発明は、ベース１０と、このベース１０の長手方向に間隔を置いて多数設けた係止部１５と、前記ベース１０の長手方向に移動自在な落し棒２０と、前記ベース１０に沿って長手方向に移動し前記落し棒２０を移動する操作部材３０を備え、
前記操作部材３０は、落し棒２０とともに移動する操作摘み３１とロック部材３２及び操作摘み３１に対して落し棒２０と同一方向に移動するロック解除部材３３を有し、
前記ロック部材３２は、前記係止部１５に係合するロック位置と係止部１５と離れるロック解除位置とに亘って弾性変位する係止片３７を有し、その係止片３７は常時ロック位置で、かつ落し棒２０の移動方向の力が作用することでロック解除位置に弾性変位する形状で、
前記操作摘み３１とロック解除部材３３は指でつまんでロック解除部材３３を操作摘み３１に向けて移動可能で、
前記ロック解除部材３３はロック解除突片４０を有し、かつ操作摘み３１と離れた位置に移動することでロック解除突片４０が係止片３７のロック解除位置への弾性変形を阻止する形状で、
前記ロック解除部材３３を弾性部材で操作摘み３１と離れた位置に移動保持したことを特徴とする落し錠である。
【００１１】
第５の発明は、ベース１０と、このベース１０の長手方向に間隔を置いて多数設けた係止部１５と、前記ベース１０の長手方向に移動自在な落し棒２０と、前記ベース１０に沿って長手方向に移動して前記落し棒２０を移動する操作部材３０を備え、
前記操作部材３０は、落し棒２０とともに移動するロック部材３２及びロック部材３２に対して落し棒２０と同一方向に所定ストローク移動する操作摘み３１とロック解除部材３３を有し、
前記ロック部材３２は、前記係止部１５に係合するロック位置と係止部１５と離れるロック解除位置とに亘って弾性変位する係止片３７を有し、
前記操作摘み３１とともにロック解除部材３３が移動し、そのロック解除部材３３がロック部材３２に対して移動することで前記係止片３７がロック解除位置となり、操作摘み３１から指を離すことで前記係止片３７がロック位置となるようにしたことを特徴とする落し錠である。
【００１２】
第６の発明は、第５の発明において前記係止片３７は常時ロック解除位置で、かつロック位置に弾性変形する形状で、
前記ロック解除部材３３はロック解除突片４７を有し、かつロック部材３２の上下中間位置に移動することでロック解除突片４７が係止片３７をロック位置に弾性変位すると共に、ロック部材３２に対して上方、下方に所定ストローク移動した後はロック部材３２とともに移動する形状で、
前記ロック解除部材３３を上下一対の弾性部材でロック部材３２の上下中間位置に移動保持した落し錠である。
【００１３】
第７の発明は、第５の発明において前記係止片３７は常時ロック位置で、かつロック解除位置に弾性変形すると共に、上下のカム片４２を有する形状で、
前記ロック解除部材３３は前記上下のカム片４２とそれぞれ接する上下のロック解除突片４３を有し、
前記カム片４２とロック解除突片４３は、ロック解除部材３３がロック部材３２に対して上方、下方に所定ストローク移動することで係止片３７がロック解除位置に弾性変位すると共に、その後はロック部材３２とともに移動し、その係止片３７の弾性復元力でロック解除部材３３をロック部材３２の上下中間位置に移動する形状である落し錠である。
【００１４】
【作  用】
第１の発明によれば、操作摘み３１とロック解除部材３３を指でつまむことで係止片３７がロック解除位置になってロック解除状態となる。
操作摘み３１とロック解除部材３３から指を離すことで係止片３７がロック位置になってロック状態となる。
しかも、ロック解除部材３３は落し棒２０と同一方向に移動するし、操作摘み３１で落し棒２０が移動される。
【００１５】
これらが相俟って、操作摘み３１とロック解除部材３３を指でつまむと共に、そのつまみ方向に手を移動して操作摘み３１とともに落し棒２０を移動することができ、ロック解除の操作方向と落し棒２０の移動操作方向が同一であるから、落し棒２０を移動する操作が容易である。
【００１６】
また、操作摘み３１とロック解除部材３３から指を離すことで係止片３７がロック位置になるので、指を離すことで自動的に落し棒２０をロックすることができる。
【００１７】
また、操作摘み３１とロック部材３２とロック解除部材３３と係止部１５でロック機構を形成しているので、落し錠全体の構造が単純で誤動作や破損しないと共に、部品点数が少なくコストが安い。
【００１８】
第２の発明によれば、弾性部材でロック解除部材３３が操作摘み３１と離れた位置に移動保持され、それによってロック解除突片４０で係止片３７がロック位置に弾性変位する。
これによって、弾性部材で係止片３７をロック位置に保持できるので、落し棒２０を確実にロックできる。
しかも、弾性部材に抗してロック解除部材３３を移動することで係止片３７がロック解除位置になり、操作摘み３１とロック解除部材３３を指でつまむことで落し棒２０のロックを解除して落し棒２０を移動できる。
【００１９】
第３の発明によれば、カム片４２とロック解除突片４３と係止片３７の弾性復元力でロック解除部材３３を操作摘み３１と離れた位置に移動してロック状態とするので、弾性部材が不要である。
【００２０】
第４の発明によれば、操作摘み３１とロック解除部材３３を指でつまむことで係止片３７がロック解除位置に弾性変形可能となるので、その状態で操作摘み３１とともにロック解除部材３３を落し棒２０の移動方向に移動すると、係止片３７がロック解除位置に弾性変形し、ロック解除状態となる。
操作摘み３１とロック解除部材３３から指を離すことでロック解除部材３３が弾性部材で操作摘み３１と離れる方向に移動し、そのロック解除突片４０で係止片３７がロック解除位置に弾性変形することが阻止され、係止片３７はロック位置に保持されるので、ロック状態となる。
しかも、ロック解除部材３３は落し棒２０と同一方向に移動するし、操作摘み３１で落し棒２０が移動される。
【００２１】
これらが相俟って、操作摘み３１とロック解除部材３３を指でつまむと共に、そのつまみ方向に手を移動して操作摘み３１とともに落し棒２０を移動することができ、ロック解除の操作方向と落し棒２０の移動操作方向が同一であるから、落し棒２０を移動する操作が容易である。
【００２２】
また、操作摘み３１とロック解除部材３３から指を離すことで係止片３７がロック解除位置に弾性変形できなくなるので、指を離すことで自動的に落し棒２０をロックすることができる。
【００２３】
また、操作摘み３１とロック部材３２とロック解除部材３３と係止部１５でロック機構を形成しているので、落し錠全体の構造が単純で誤動作や破損しないと共に、部品点数が少なくコストが安い。
【００２４】
第５の発明によれば、操作摘み３１を指でつまみ移動することで係止片３７がロック解除位置になってロック解除状態となる。
操作摘み３１から指を離すことで係止片３７がロック位置になってロック状態となる。
しかも、操作摘み３１とロック解除部材３３はロック部材３２に対して落し棒２０と同一方向に移動するし、ロック部材３２で落し棒２０が移動される。
【００２５】
これらが相俟って、操作摘み３１を指でつまむと共に、そのつまみ方向に手を移動して操作摘み３１とともに落し棒２０を移動することができ、ロック解除の操作方向と落し棒２０の移動操作方向が同一であるから、落し棒２０を移動する操作が容易である。
【００２６】
また、操作摘み３１から指を離すことで係止片３７がロック位置になるので、指を離すことで自動的に落し棒２０をロックすることができる。
【００２７】
また、操作摘み３１とロック部材３２とロック解除部材３３と係止部１５でロック機構を形成しているので、落し錠全体の構造が単純で誤動作や破損しないと共に、部品点数が少なくコストが安い。
【００２８】
第６の発明によれば、上下一対の弾性部材でロック解除部材３３がロック部材３２の上下中間位置に移動保持され、それによってロック解除突片４７で係止片３７がロック位置に弾性変位とする。
これによって、上下一対の弾性部材で係止片３７をロック位置に保持できるので、落し棒２０を確実にロックできる。
しかも、弾性部材に抗してロック解除部材３３を上方、下方に所定ストローク移動することで係止片３７がロック解除位置になり、それ以後はロック部材３２とロック解除部材３３がともに移動するので、操作摘み３１を指でつまんで上方、下方に移動することで落し棒２０のロックを解除して落し棒２０を上方、下方に移動できる。
【００２９】
第７の発明によれば、カム片４２とロック解除突片４３と係止片３７の弾性復元力でロック解除部材３３がロック部材３２の上下中間位置に移動してロック状態とするので、弾性部材が不要である。
しかも、前述した第６の発明と同様に操作摘み３１を指でつまんで上方、下方に移動することで落し棒２０をロックを解除して落し棒２０を上方、下方に移動できる。
【００３０】
【発明の実施の形態】
図１と図２に示すように、ベース１０と、このベース１０に対して上下動自在な落し棒２０と、この落し棒２０を上下移動する操作部材３０と、落し棒２０を任意の位置で上下移動しないようにロックするロック機構で落し錠を形成している。
前記ベース１０は図３に示すように、本体１１と裏板１２を備えている。前記本体１１は矩形断面長尺形状で、その裏面１１ａにおける長手方向両端部に突部１３が一体的に設けてあり、裏面１１ａと表面１１ｂに貫通した開口部１４を長手方向略全長に亘って有する。
前記開口部１４の短手方向に相対向した内面１４ａの裏面１１ａ寄りに係止部１５が長手方向に間隔を置いて多数設けてある。例えば内面１４ａの裏面１１ａ寄りを鋸刃形状としてある。
前記本体１１の表面１１ｂの開口部１４の開口縁部に長方形状の枠１６が一体的に設けてある。
前記一方の突部１３（図３で下方の突部１３）の突出長さは他方の突部１３（図３で上の突部１３）よりも長く、その一方の突部１３に孔１７が形成してある。
前記他方の突部１３には凹陥部１８が形成してある。
【００３１】
前記裏板１２は基板１２ａと対向した一対の側板１２ｂで断面コ字状の長尺形状で、その一対の側板１２ｂ間に本体１１が嵌入してビス１９で連結される。
前記本体１１の一方の突部１３が裏板１２の基板１２ａに当接し、他方の突部１３及び本体１１の裏面１１ａと基板１２ａの間には隙間が形成される。
【００３２】
前記落し棒２０は断面円形で、前記本体１１の一方の突部１３に形成した孔１７に挿通して本体１１と裏板１２との間に挿入される。
前記落し棒２０の長手方向一端部（上端部）に連結片２１が固着してある。
この連結片２１は縦片２２と横片２３でＴ字形状で、その縦片２２が本体１１の裏面１１ａに沿って移動自在である。前記横片２３の孔２４に落し棒２０の上端部が嵌入し、スプリングピン２５で固定してある。
前記縦片２２の上部寄りにカバー２６の長手方向一端部がビス２７で固着してある。このカバー２６は幅狭で長尺な薄板状で、前記本体１１の他方の突部１３に形成した凹陥部１８を通ってベース１０よりも上方に突出する。
前記カバー２６の幅は本体１１の開口部１４の短手方向寸法よりも大きく、落し棒２０を下方に移動すると開口部１４を閉塞して表面側から見た時にカバー２６が見え、裏板１２が見えないようにする。
【００３３】
前記操作部材３０は操作摘み３１と、この操作摘み３１に設けたロック部材３２と、操作摘み３１に移動自在に設けたロック解除部材３３を有する。
前記操作摘み３１は縦板状の本体３４と、この本体３４の下部寄りに一体的に設けた表面に向う指掛け突片３５を有し、その本体３４の裏面に穴３６を有する。前記ロック部材３２は前記本体３４に一体的に設けられ弾性変位する一対の係止片３７を有する。
前記操作摘み３１とロック部材３２は図４に示すように本体１１の開口部１４を通して前記連結片２１の縦片２２に設けたピン２８に穴３６が嵌合されると共に、前記ビス２７でカバー２６とともに縦片２２の表面に固着される。前記一対の係止片３７の係止突部３７ａが本体１１の係止部１５と対向する。
前記一対の係止片３７は接近して係止突部３７ａが本体１１の一対の係止部１５に係合しない形状で、その一対の係止片３７を離隔する方向に拡開弾性変位することで係止突部３７ａが係止部１５に係合するようにしてある。
【００３４】
このようであるから、一対の係止片３７の係止突部３７ａを係止部１５から離脱することで、操作摘み３１はロック部材３２とともに本体１１の開口部１４に沿って移動可能で、この操作摘み３１を移動することで連結片２１とともに落し棒２０、カバー２６が上下に移動する。
【００３５】
前記ロック解除部材３３は本体３８と、この本体３８の上端部に表面に向けて一体的に設けた指掛け突片３９と、本体３８の裏面に一体的に設けたロック解除突片４０を有する。
前記本体３８は縦片３８ａと一対のガイド片３８ｂで横断面略コ字状である。前記ロック解除部材３３は操作摘み３１に、その一対のガイド片３８ｂが前記操作摘み３１の本体３４の両側面に摺動自在に接すると共に、ロック解除突片４０が前記一対の係止片３７間に嵌まり合うように取付けられる。
前記操作摘み３１の本体３４とロック解除部材３３との間に弾性部材、例えばスプリング４１が設けられ、操作摘み３１とロック解除部材３３が図５（ａ），（ｂ）に示すように離隔する方向に移動付勢される。
【００３６】
このようであるから、通常時（ロック状態）には図５（ａ），（ｂ）に示すようにロック解除突片４０が一対の係止片３７の係止突部３７ａ寄りに移動して一対の係止片３７が離隔する方向に拡開変形し、その係止突部３７ａが本体１１の係止部１５に係合することで操作摘み３１が本体１１に沿って長手方向に移動しないように保持される。
したがって、通常時には落し棒２０がベース１０にロックされて落し棒２０が上下に移動しない。
つまり、操作部材３０と係止部１５でロック機構を形成する。
【００３７】
操作摘み３１の指掛け突片３５とロック解除部材３３の指掛け突片３９に指を掛けてロック解除部材３３をスプリング４１に抗して操作摘み３１に向けて操作移動し、図６（ａ），（ｂ）に示すロック解除状態とする。
【００３８】
これにより、ロック解除突片４０が操作摘み３１の本体３４寄りに移動し、一対の係止片３７が元の接近した状態に弾性復帰し、係止突部３７ａが係止部１５と離れてロック解除される。
前述の状態で操作摘み３１を上下に移動することで落し棒２０が上下に移動する。
【００３９】
前記落し錠は図７に示すように、門扉などの縦框５０の中空部５０ａ内に挿入し、その縦框５０の外側縦板５１に形成した矩形穴５２から枠体１６を外方に突出してビス５３を本体１１の長手方向両端部に螺合して取付けられる。
これにより、操作摘み３１の指掛け突片３５とロック解除部材３３の指掛け突片３９が縦框５０の外部に露出する。
【００４０】
前述のようであるから、図８（ａ）に示すように手ａの親指ｂと人差し指ｃで２つの指掛け突片３５，３９をつまみ、手ａを上下に移動することで落し棒２０を上下に移動できる。
落し棒２０を所定の位置まで移動したら図８（ｂ）に示すように親指ｂと人差し指ｃをはなすことで落し棒２０がロックされる。
【００４１】
以上のように、ロックを解除する操作方向と落し棒２０を移動する方向が同一方向であるから、落し棒２０を上下に移動する操作が容易である。
【００４２】
なお、操作摘み３１とロック解除部材３３は上下反転して取付ても良いし、操作摘み３１と連結片２１を一体としても良く、さらにはロック部材３２と操作摘み３１を別体としても良い。
【００４３】
次に本発明の第２の実施形態を説明する。
図９（ａ），（ｂ）に示すように、一対の係止片３７を常時係止突部３７ａが係止部１５に係止する形状とする。
この一対の係止片３７にカム片４２を上向きに一体的に設ける。
前記ロック解除部材３３の本体３８上部に一対のロック解除突片４３を設け、この一対のロック解除突片４３はカム片４２の外向き斜面４２ａに接する内向き斜面４３ａを有する。
【００４４】
操作摘み３１の指掛け突片３５とロック解除部材３３の指掛け突片３９を指でつまんで図１０（ａ），（ｂ）に示すようにロック解除部材３３を操作摘み３１に向けて移動すると、一対のロック解除突片４３の内向き斜面４３ａが一対のカム片４２の外向き斜面４２ａに沿って下方に移動し、それによって一対の係止片３７が接近する方向に弾性変位して係止突部３７ａが係止部１５から離れ、ロック解除状態となる。
【００４５】
前述の状態から各指掛け突片３５，３９より指を離すと、一対の係止片３７が元の状態に弾性復元しようとする。
この弾性復元力で一対のカム片４２の外向き斜面４２ａに沿って一対のロック解除突片４３の内向の斜面４３ａが上方に移動してロック解除部材３３が図９（ａ），（ｂ）に示す通常時の位置まで上方に移動してロック解除される。
【００４６】
このようにすることでスプリングを用いずに指掛け突片３５，３９から指を離すことで自動的にロック状態とすることが可能である。
【００４７】
次に本発明の第３の実施形態を説明する。
図１１（ａ），（ｂ）に示すように、一対の係止片３７は常時係止突部３７ａが係止部１５に係止し、かつロッド棒２０の移動方向の力（矢印ｄ，ｅ）が作用すると係止突部３７ａが係止部１５から離脱する位置に弾性変位する形状である。
ロック解除部材３３はスプリング４１で操作摘み３１と離れた位置に移動保持される。
ロック解除部材３３が前述の離れた位置であると、そのロック解除突片４０が一対の係止片３７に接して一対の係止片３７が前述の離脱位置に弾性変形することを阻止する。
【００４８】
このようであるから、通常時には図１１（ａ），（ｂ）に示すように、一対の係止片３７は、その係止突部３７ａが係止部１５に係合したロック位置に保持され、落し棒２０の自重等で係止突部３７ａが係止部１５から離脱する位置に揺動変位しないので、ロック状態となる。
【００４９】
操作摘み３１の指掛け突片３５とロック解除部材３３の指掛け突片３９を前述のように指でつまみ、そのロック解除部材３３をスプリング４１に抗して図１２（ａ），（ｂ）に示すように下方に移動して操作摘み３１に接近した位置とすると、仮想線で示すように一対の係止片３７は、その係合突部３７ａが係止部１５から離脱する位置に弾性変位可能となる。
【００５０】
前述の状態で操作摘み３１を矢印ｄ方向又は矢印ｅ方向に移動すると、一対の係止片３７にロッド棒移動方向の力が作用し、一対の係止片３７は前述の係止突部３７ａが係止部１５から離脱する位置に弾性変形してロック解除状態となる。
これによって、操作摘み３１を移動することで落し棒２０を上下に移動することができる。
【００５１】
前述の状態から各指掛け突片３５，３９より指を離すことで、ロック解除部材３３はスプリング４１で図１１（ａ），（ｂ）で示す操作摘み３１から離れた位置に移動し、そのロック解除突片４０で一対の係止片３７がロック位置に保持される。
このように、指を離すことで自動的にロック状態に復帰する。
【００５２】
次に、本発明の第４の実施形態を説明する。
図１３に示すように、操作部材３０を操作摘み３１と、この操作摘み３１の裏面に設けたロック解除部材３３と、前記連結片２１（落し棒２０）に連結されるロック部材３２で形成する。
前記ロック部材３２は一対の係止片３７の上下端部を連結横片４４で一体的に連結した方形枠形状で、各連結横片４４に摺動受け片４５が一体的にそれぞれ設けてある。
前記一対の係止片３７は内向Ｖ字形状で、その長手方向中間部に係止突部３７ａが外向きに一体的に設けてある。
【００５３】
前記ロック解除部材３３は本体４６の上下中間裏面にロック解除突片４７を一体的に設けた形状で、その本体４６の上下中間表面に操作摘み３１が一体的に設けてある。
前記本体４６の上部寄りと下部寄りに一対のガイド溝４８が相対向して形成され、この一対のガイド溝４８に前記摺動受け片４５が上下摺動自在にそれぞれ嵌入してロック部材３２とロック解除部材３３は相対向に上下移動自在に連結される。ロック解除突片４７が一対の係止片３７間に嵌入すると共に、ロック解除突片４７の上下面と前記各連結横片４４との間に上下一対の弾性部材、例えばスプリング４９が設けられてロック解除突片４７が図１４に示すように一対の係止片３７の長手方向中間部に位置する。スプリング４９の長さは特に限定しない。
【００５４】
これにより、通常時には一対の係止片３７がほぼ一直線状に弾性変位し、係止突部３７ａが係止部１５に係合してロック状態となる。
【００５５】
前述のロック状態から操作摘み３１を持って上方に所定ストローク移動するとロック解除突片４７がスプリング４９に抗して上方に移動し、図１５に示すように一対の係止片３７が元の状態に弾性復帰し、係止突部３７ａが係止部１５から離れてロック解除される。
この状態から操作摘み３１を上方に移動するとロック解除部材３３とロック部材３２がともに上方に移動し、ロック部材３２とともに落し棒２０が上方に移動する。
【００５６】
落し棒２０を所定高さまで移動したら操作摘み３１から指を離す。
これにより、スプリング４９で操作摘み３１、ロック解除部材３３がロック部材３２に対して下方に移動し、図１４に示すようにロック解除突片４７が一対の係止片３７の長手方向中間部（ロック部材３２の上下中間）に位置してロック状態となる。
なお、操作摘み３１を下方に移動操作した場合も同様である。
【００５７】
次に、本発明の第５の実施形態を説明する。
図１６に示すように、操作部材３０を操作摘み３１と、この操作摘み３１の裏面に設けたロック解除部材３３と、前記連結片２１（落し棒２０）に連結されるロック部材３２で形成する。
前記ロック部材３２は一対の係止片３７の上下端部を連結横片４４で一体的に連結した方形枠形状で、各連結横片４４に摺動受け片４５が一体的にそれぞれ設けてある。
前記一対の係止片３７は一直線形状で、その長手方向中間部に係止突部３７ａが外向きに一体的に設けてある。一対の係止片３７の内面上下中間部に上下一対のカム片４２が設けてある。
【００５８】
前記ロック解除部材３３は、横断面コ字状の本体４６の裏面における上部寄りと下部寄りに一対のロック解除突片４３を設け、その本体４６の上下中間表面に操作摘み３１が一体的に設けてある。
前記本体４６の両側部に一対のガイド溝４８が相対向して形成され、この一対のガイド溝４８に前記摺動受け片４５が上下摺動自在にそれぞれ嵌入してロック部材３２とロック解除部材３３は相対向に上下移動自在に連結される。一対の上部のロック解除突片４３の内向き斜面４３ａが一対の上部のカム片４２の外向き斜面４２ａと対向し、一対の下部のロック解除突起４３の内向き斜面４３ａが一対の下部のカム片４２の外向き斜面４２ａと対向している。
【００５９】
これにより、図１７に示すように通常時には一対の係止片３７がほぼ一直線状で、係止突部３７ａが係止部１５に係合してロック状態となる。
【００６０】
前述のロック状態から操作摘み３１を持って下方に所定ストローク移動すると上方のロック解除突片４３の内向き斜面４３ａが一対の上方のカム片４２の外向き斜面４２ａに沿ってスライドし、図１８に示すように一対の係止片３７がＶ字形状に弾性変位し、係止突部３７ａが係止部１５から離れてロック解除される。
この状態から操作摘み３１を下方に移動することでロック操作部材３３とともにロック部材３２が下方に移動し、ロック部材３２とともに落し棒２０が下方に移動する。
【００６１】
落し棒２０を所定高さまで移動したら操作摘み３１から指を離す。
これにより、一対の係止片３７の弾性復元力によってカム片４２の外向き斜面４２ａに沿ってロック解除突起４３の内向き斜面４３ａがスライドして操作摘み３１とロック解除部材３３がロック部材３２に対して上方に移動し、図１７に示すようにロック部材３２の上下中間に位置し、一対の係止片３７が一直線状の元の状態に弾性復帰し、係止突部３７ａが係止部１５に係合してロック状態となる。
なお、操作摘み３１を上方に移動した時も前述と同様である。
【００６２】
前述の各実施の形態において係止片３７は複数の係止突部３７ａを有する形状でも良い。
【００６３】
【発明の効果】
請求項１に係る発明によれば、操作摘み３１とロック解除部材３３を指でつまむことで係止片３７がロック解除位置になってロック解除状態となる。
操作摘み３１とロック解除部材３３から指を離すことで係止片３７がロック位置になってロック状態となる。
しかも、ロック解除部材３３は落し棒２０と同一方向に移動するし、操作摘み３１で落し棒２０が移動される。
【００６４】
これらが相俟って、操作摘み３１とロック解除部材３３を指でつまむと共に、そのつまみ方向に手を移動して操作摘み３１とともに落し棒２０を移動することができ、ロック解除の操作方向と落し棒２０の移動操作方向が同一であるから、落し棒２０を移動する操作が容易である。
【００６５】
また、操作摘み３１とロック解除部材３３から指を離すことで係止片３７がロック位置になるので、指を離すことで自動的に落し棒２０をロックすることができる。
【００６６】
また、操作摘み３１とロック部材３２とロック解除部材３３と係止部１５でロック機構を形成しているので、落し錠全体の構造が単純で誤動作や破損しないと共に、部品点数が少なくコストが安い。
【００６７】
請求項２に係る発明によれば、弾性部材でロック解除部材３３が操作摘み３１と離れた位置に移動保持され、それによってロック解除突片４０で係止片３７がロック位置に弾性変位する。
これによって、弾性部材で係止片３７をロック位置に保持できるので、落し棒２０を確実にロックできる。
しかも、弾性部材に抗してロック解除部材３３を移動することで係止片３７がロック解除位置になり、操作摘み３１とロック解除部材３３を指でつまむことで落し棒２０のロックを解除して落し棒２０を移動できる。
【００６８】
請求項３に係る発明によれば、カム片４２とロック解除突片４３と係止片３７の弾性復元力でロック解除部材３３を操作摘み３１と離れた位置に移動してロック状態とするので、弾性部材が不要である。
【００６９】
請求項４に係る発明によれば、操作摘み３１とロック解除部材３３を指でつまむことで係止片３７がロック解除位置に弾性変形可能となるので、その状態で操作摘み３１とともにロック解除部材３３を落し棒２０の移動方向に移動すると、係止片３７がロック解除位置に弾性変形し、ロック解除状態となる。
操作摘み３１とロック解除部材３３から指を離すことでロック解除部材３３が弾性部材で操作摘み３１と離れる方向に移動し、そのロック解除突片４０で係止片３７がロック解除位置に弾性変形することが阻止され、係止片３７はロック位置に保持されるので、ロック状態となる。
しかも、ロック解除部材３３は落し棒２０と同一方向に移動するし、操作摘み３１で落し棒２０が移動される。
【００７０】
これらが相俟って、操作摘み３１とロック解除部材３３を指でつまむと共に、そのつまみ方向に手を移動して操作摘み３１とともに落し棒２０を移動することができ、ロック解除の操作方向と落し棒２０の移動操作方向が同一であるから、落し棒２０を移動する操作が容易である。
【００７１】
また、操作摘み３１とロック解除部材３３から指を離すことで係止片３７がロック解除位置に弾性変形できなくなるので、指を離すことで自動的に落し棒２０をロックすることができる。
【００７２】
また、操作摘み３１とロック部材３２とロック解除部材３３と係止部１５でロック機構を形成しているので、落し錠全体の構造が単純で誤動作や破損しないと共に、部品点数が少なくコストが安い。
【００７３】
請求項５に係る発明によれば、操作摘み３１を指でつまみ移動することで係止片３７がロック解除位置になってロック解除状態となる。
操作摘み３１から指を離すことで係止片３７がロック位置になってロック状態となる。
しかも、操作摘み３１とロック解除部材３３はロック部材３２に対して落し棒２０と同一方向に所定ストローク移動するし、ロック部材３２で落し棒２０が移動される。
【００７４】
これらが相俟って、操作摘み３１を指でつまむと共に、そのつまみ方向に手を所定ストローク移動して操作摘み３１とともに落し棒２０を移動することができ、ロック解除の操作方向と落し棒２０の移動操作方向が同一であるから、落し棒２０を移動する操作が容易である。
【００７５】
また、操作摘み３１から指を離すことで係止片３７がロック位置になるので、指を離すことで自動的に落し棒２０をロックすることができる。
【００７６】
また、操作摘み３１とロック部材３２とロック解除部材３３と係止部１５でロック機構を形成しているので、落し錠全体の構造が単純で誤動作や破損しないと共に、部品点数が少なくコストが安い。
【００７７】
請求項６に係る発明によれば、上下一対の弾性部材でロック解除部材３３がロック部材３２の上下中間位置に移動保持され、それによってロック解除突片４０で係止片３７がロック位置に弾性変位とする。
これによって、上下一対の弾性部材で係止片３７をロック位置に保持できるので、落し棒２０を確実にロックできる。
しかも、弾性部材に抗してロック解除部材３３を上方、下方に所定ストローク移動することで係止片３７がロック解除位置になり、それ以後はロック部材３２とロック解除部材３３がともに移動するので、操作摘み３１を指でつまんで上方、下方に移動することで落し棒２０のロックを解除して落し棒２０を上方、下方に移動できる。
【００７８】
請求項７に係る発明によれば、カム片４２とロック解除突片４３と係止片３７の弾性復元力でロック解除部材３３がロック部材３２の上下中間位置に移動してロック状態とするので、弾性部材が不要である。
しかも、請求項６に係る発明と同様に操作摘み３１を指でつまんで上方、下方に移動することで落し棒２０をロックを解除して落し棒２０を上方、下方に移動できる。
【図面の簡単な説明】
【図１】本発明の第１の実施の形態を示す落し錠の正面図である。
【図２】本発明の第１の実施の形態を示す落し錠の側面図である。
【図３】本発明の第１の実施の形態を示す落し錠の分解斜視図である。
【図４】図２のＡ−Ａ断面図である。
【図５】操作部材のロック状態の説明図である。
【図６】操作部材のロック解除状態の説明図である。
【図７】落し錠の框取付け状態の斜視図である。
【図８】落し錠の上下操作説明図の斜視図である。
【図９】本発明の第２の実施の形態を示す操作部材のロック状態の説明図である。
【図１０】ロック解除状態の説明図である。
【図１１】本発明の第３の実施の形態を示す操作部材のロック状態の説明図である。
【図１２】ロック解除状態の説明図である。
【図１３】本発明の第４の実施の形態を示す操作部材の分解斜視図である。
【図１４】ロック状態の説明図である。
【図１５】ロック解除状態の説明図である。
【図１６】本発明の第５の実施の形態を示す操作部材の分解斜視図である。
【図１７】ロック状態の説明図である。
【図１８】ロック解除状態の説明図である。
【図１９】従来の落し錠の説明図である。
【符号の説明】
１０…ベース、１１…本体、１２…裏板、１４…開口部、１５…係止部、２０…落し棒、２１…連結片、２６…カバー、３０…操作部材、３１…操作摘み、３２…ロック部材、３３…ロック解除部材、３５…指掛け突片、３７…係止片、３９…指掛け突片、４０…ロック解除突片、４１…スプリング（弾性部材）、４２…カム片、４２ａ…外向き斜面、４３…ロック解除突片、４３ａ…内向き斜面、４９…スプリング（弾性部材）、５０…縦框。
【図１】
0003624346.tif 000002
【図２】
0003624346.tif 000003
【図３】
0003624346.tif 000004
【図４】
0003624346.tif 000005
【図５】
0003624346.tif 000006
【図６】
0003624346.tif 000007
【図７】
0003624346.tif 000008
【図８】
0003624346.tif 000009
【図９】
0003624346.tif 000010
【図１０】
0003624346.tif 000011
【図１１】
0003624346.tif 000012
【図１２】
0003624346.tif 000013
【図１３】
0003624346.tif 000014
【図１４】
0003624346.tif 000015
【図１５】
0003624346.tif 000016
【図１６】
0003624346.tif 000017
【図１７】
0003624346.tif 000018
【図１８】
0003624346.tif 000019
【図１９】
0003624346.tif 000020